【事件の表示】
　特許第３２０６９７１号「内視鏡」の請求項１に係る特許に対する特許異議の申立てについて、次のとおり決定する。
【結　論】
　訂正を認める。
　特許第３２０６９７１号の請求項１に係る特許を取り消す。
【理　由】
１．手続の経緯
　特許第３２０６９７１号の請求項１に係る発明は、平成４年８月５日（優先権主張平成４年１月３１日）に特許出願され、平成１３年７月６日にその特許権の設定登録がなされ、その後、旭光学工業株式会社より特許異議の申立がなされ、取消しの理由が通知され、その指定期間内である平成１４年７月２３日に訂正請求がなされたものである。
　
２．訂正の適否
（１）訂正の内容
　特許権者が求めている訂正の内容は次の訂正事項ａ、ｂのとおりである。
・訂正事項ａ
　特許請求の範囲の請求項１を、
「【請求項１】少なくとも、端子が略垂直に延出する固体撮像装置、電子部品、信号ケーブル、基板を有する撮像ユニットを先端部に備えた内視鏡において、
　前記固体撮像素子の端子と、前記電子部品の電極又は前記信号ケーブルとを前記基板の導電パターンの同一部位上に、前記端子の延出方向に対して略垂直方向に積み重ねて電気的に接続し、前記積み重ねた前記基板の導電パターンの同一部位では前記基板は前記固体撮像装置の端子に対して内側方向に位置することを特徴とする内視鏡。」
と訂正する。
　
・訂正事項ｂ
特許明細書の段落【０００６】を、
「【課題を解決するための手段】
　本発明による内視鏡は、少なくとも、端子が略垂直に延出する固体撮像装置、電子部品、信号ケーブル、基板を有する撮像ユニットを先端部に備えた内視鏡において、前記固体撮像素子の端子と、前記電子部品の電極又は前記信号ケーブルとを前記基板の導電パターンの同一部位上に、前記端子の延出方向に対して略垂直方向に積み重ねて電気的に接続し、前記積み重ねた前記基板の導電パターンの同一部位では前記基板は前記固体撮像装置の端子に対して内側方向に位置することを特徴とするものである。」
　
（２）訂正の目的の適否、新規事項の有無及び拡張・変更の存否
　訂正事項ａは、請求項１に記載された
「固体撮像装置」を「端子が略垂直に延出する固体撮像装置」に、
「前記少なくとも固体撮像装置の端子、電子部品の電極、信号ケーブルのうち複数個を前記基板の導電パターンの同一部位上に」を「前記固体撮像素子の端子と、前記電子部品の電極又は前記信号ケーブルとを前記基板の導電パターンの同一部位上に」に、
「積み重ねて電気的に接続した」を「前記端子の延出方向に対して略垂直方向に積み重ねて電気的に接続し、前記積み重ねた前記基板の導電パターンの同一部位では前記基板は前記固体撮像装置の端子に対して内側方向に位置する」に、
限定するものであり、この訂正は、特許請求の範囲の減縮を目的とするものである。
　そして、この訂正は、特許明細書の「【００２７】図８（ａ）は、端子２２と基板本体１５ａとの間に電子部品２７をはさんで端子２２，電子部品２７，基板本体１５ａの回路パターンを電気的に接続した例を示している。また、図８（ｂ）は、基板本体１５ａと電子部品２７との間に端子２２をはさんで端子２２，電子部品２７，基板本体１５ａの回路パターンを電気的に接続した例である。」、「【００３６】図９及び図１０に示す構成のものでは、電子部品の電極例えばコンデンサ４１の電極を介して、端子２２（ＳＵＢ，Ｖout）、及び信号線が、基板本体１５ａ′の同一の部位、つまり同一パターン上において共通に電気的に結合できる。」の記載、及び、図８、図９、図１０に固体撮像装置の端子形状、各部材の配置関係が図示されていることから、願書に添付した明細書または図面に記載した事項の範囲内でなされたものであり、また、実質上特許請求の範囲を拡張し又は変更するものではない。
　
　訂正事項ｂは、訂正事項ａにおいて訂正された記載との整合をとるために段落【０００６】の記載を訂正するものであり、明りょうでない記載の釈明を目的とするものである。そして、訂正事項ｂは、願書に添付した明細書又は図面に記載した事項の範囲内においてされたものであり、また、実質上特許請求の範囲を拡張し、又は変更するものではない。
　
（３）むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立についての判断
（１）申立の理由の概要
　申立人旭光学工業株式会社は、証拠として
甲第１号証：特開昭６３−２９０５４１号公報（以下、刊行物１という）
甲第２号証：特開昭６３−２２２７３２号公報（以下、刊行物２という）
を提出し、
本件請求項１に係る発明は、甲第１号証乃至甲第２号証から容易に発明をすることができたものであり、特許法第２９条第２項の規定に違反するので特許を受けることができない旨主張している。
　
（２）本件の請求項１に係る発明
　本件の請求項１に係る発明（以下、本件発明という。）は、訂正明細書及び図面の記載からみて、特許請求の範囲の請求項１に記載された次のとおりのものである。
「【請求項１】少なくとも、端子が略垂直に延出する固体撮像装置、電子部品、信号ケーブル、基板を有する撮像ユニットを先端部に備えた内視鏡において、
　前記固体撮像素子の端子と、前記電子部品の電極又は前記信号ケーブルとを前記基板の導電パターンの同一部位上に、前記端子の延出方向に対して略垂直方向に積み重ねて電気的に接続し、前記積み重ねた前記基板の導電パターンの同一部位では前記基板は前記固体撮像装置の端子に対して内側方向に位置することを特徴とする内視鏡。」
　
（３）刊行物等
　当審が通知した取消しの理由に引用した刊行物１には、以下の事項が記載されている。
　「上記ＳＩＤチップ１８の撮像面と反対側となる裏面には金属板４７がコ字形に折りかえされ、その一方の端部がダイボンディングされており、この金属板４７の他端は基盤２１に取付けられた電子回路部品としてのコンデンサ１９の片側の（アースと接続される）電極１９ａと半田４８付けで電気的に接続されている。このコンデンサ１９ａの他方の電極１９ｂは絶縁塗料４９を塗布して金属板４７と絶縁している。」（第３頁左上欄第６行〜第１４行）
　
（４）対比・判断
　刊行物１に記載された発明の「金属板」「コンデンサ」は、それぞれ本件発明の「端子」「電子部品」に相当するので、
本件発明と刊行物１に記載された発明とは、
「少なくとも、固体撮像装置、電子部品、信号ケーブル、基板を有する撮像ユニットを先端部に備えた内視鏡において、前記固体撮像装置の端子と前記電子部品の電極とを前記基板の導電パターンの同一部位上に電気的に接続した内視鏡」である点で一致し、
配置関係が、本件発明は、基板が固体撮像素子の略垂直に延出する端子に対して内側方向に位置し、導電パターンの上の接続の積層方向が、延出方向に対して略垂直方向であるのに対し、刊行物１に記載された発明ではそのような配置でない点で相違する。
　
　相違点について検討する。
　基板が固体撮像装置の略垂直に延出する端子に対して内側方向に位置するものは、内視鏡において周知である（例えば、特開平３―２８０９２３号公報、特開平３−２０７３３６号公報（信号線35C、リード67、ランド68の接続関係等参照）等参照）。また、基板に接続する部材の配置方向は端子の延出方向に対して略垂直方向であることから、刊行物１に記載された発明の配置関係を適宜変更して、前記相違点に係る構成を得ることは、当業者が容易に想到しうることである。
　
　よって、本件発明は、刊行物１に記載された発明及び周知技術に基いて、当業者が容易に発明をすることができたものである。
　
（５）むすび
　以上のとおり、本件の請求項１に係る発明の特許は、特許法第２９条第２項の規定に違反してなされたものであるから、同法第１１３条第２号に該当し、取り消されるべきものである。
　よって、特許法等の一部を改正する法律（平成６年法律第１１６号）附則第１４条の規定に基づく、特許法等一部を改正する法律の施行に伴う経過措置を定める政令（平成７年政令第２０５号）第４条第２項の規定により、結論のとおり決定する。
【異議決定日】
平成１４年８月３０日（２００２．８．３０）
【訂正の要旨】
（訂正事項ａ）
　特許請求の範囲の請求項１の記載を、特許請求の範囲の減縮を目的として、
「【請求項１】少なくとも、端子が略垂直に延出する固体撮像装置、電子部品、信号ケーブル、基板を有する撮像ユニットを先端部に備えた内視鏡において、
　前記固体撮像素子の端子と、前記電子部品の電極又は前記信号ケーブルとを前記基板の導電パターンの同一部位上に、前記端子の延出方向に対して略垂直方向に積み重ねて電気的に接続し、前記積み重ねた前記基板の導電パターンの同一部位では前記基板は前記固体撮像装置の端子に対して内側方向に位置することを特徴とする内視鏡。」と訂正する。
（訂正事項ｂ）
　発明の詳細な説明の段落【０００６】の記載を、明りょうでない記載の釈明を目的として、
「【課題を解決するための手段】
　本発明による内視鏡は、少なくとも、端子が略垂直に延出する固体撮像装置、電子部品、信号ケーブル、基板を有する撮像ユニットを先端部に備えた内視鏡において、前記固体撮像素子の端子と、前記電子部品の電極又は前記信号ケーブルとを前記基板の導電パターンの同一部位上に、前記端子の延出方向に対して略垂直方向に積み重ねて電気的に接続し、前記積み重ねた前記基板の導電パターンの同一部位では前記基板は前記固体撮像装置の端子に対して内側方向に位置することを特徴とするものである。」と訂正する。
（５４）【発明の名称】
内視鏡
（５７）【特許請求の範囲】
　【請求項１】　少なくとも
、端子が略垂直に延出する
　前記固体撮像素子の端子
と、前記電子部品の電極又は前記信号ケーブルとを
、前記端子の延出方向に対して略垂直方向に
、前記積み重ねた前記基板の導電パターンの同一部位では前記基板は前記固体撮像装置の端子に対して内側方向に位置する
【発明の詳細な説明】
　【０００１】
　【発明の属する技術分野】
　本発明は、被写体像を撮像する固体撮像装置等を有する映像ユニットを先端部に備えた内視鏡に関する。
　【０００２】
　【従来の技術】
　従来より、体腔内等へ細長の挿入部を挿入して被検部位の観察や各種処置を行うことのできる内視鏡が広く用いられている。特に近年では、挿入部先端部に対物レンズ、ＣＣＤ等からなる固体撮像素子、固体撮像素子に接続される回路基板などを含む映像ユニットを備えた電子内視鏡が種々提案されている。
　【０００３】
　前記内視鏡に設けられる映像ユニットとしては、特開昭６０−２０８７２６号公報に開示されているような、挿入部先端部に内蔵された小型のものが提案されている。この映像ユニットは、細長のハウジングが設けられており、このハウジング内に先端側から対物レンズ、固体撮像素子、回路基板が配設され、回路基板に接続された伝達ケーブルが後端より延出し、ハウジングの両端がシール部材で密封されている。固体撮像素子の端子、電子部品の電極、信号ケーブル等の接続は基板パターンに形成されたそれぞれの電極上に行われている。
　【０００４】
　【発明が解決しようとする課題】
　しかしながら、前述のような映像ユニットは、固体撮像素子の端子、電子部品の電極、信号ケーブル等を接続するためのそれぞれの電極を基板上に備えているので大きくなってしまい、このような映像ユニットを備えた内視鏡の先端硬質部が大きくなってしまう。
　【０００５】
　本発明は、これらの事情に鑑みてなされたもので、映像ユニット部を小型にして挿入部先端の硬質部を細径化するとともにその長さも短くできる内視鏡を提供することを目的としている。
　【０００６】
　【課題を解決するための手段】
　本発明による内視鏡は、少なくとも
、端子が略垂直に延出する
と、前記電子部品の電極又は前記信号ケーブルとを
、前記端子の延出方向に対して略垂直方向に
、前記積み重ねた前記基板の導電パターンの同一部位では前記基板は前記固体撮像装置の端子に対して内側方向に位置する
　【０００７】
　【作用】
　前記構成により、映像ユニットは、硬性の先端部本体に組付けられ、映像ユニット保護部材で保護される。
　【０００８】
　【実施例】
　以下、図面を参照して本発明の実施例を説明する。◎
　図１ないし図５は本発明の第１実施例に係り、図１は内視鏡の挿入部先端部の組立てにおける第１の工程終了後の状態を示す断面説明図、図２は挿入部先端部の組立てにおける第２の工程終了後の状態を示す断面説明図、図３は挿入部先端部の組立てにおける第３の工程終了後の状態を示す断面説明図、図４は挿入部先端部の組立て終了時の構成を示す断面説明図、図５は内視鏡の全体の構成を示す説明図である。
　【０００９】
　図５に示すように、内視鏡１は、体腔内等に挿入可能な細長の挿入部２を有しており、先端側から硬性の先端部３、湾曲可能な湾曲部４、可撓性を有する可撓管部５が設けられている。挿入部の後端側には、把持部を兼ねた操作部６が連設されており、操作部６の側方より信号ケーブル，ライトガイドファイバ等を内設したユニバーサルコード７が延出している。ユニバーサルコード７は端部に設けられたコネクタ８を介してビデオプロセッサ９に接続されるようになっている。ビデオプロセッサ９は信号ケーブル１０を介してモニタ１１に接続されており、先端部３に設けられた後述する映像ユニットで撮像された被写体の画像信号がビデオプロセッサ９で信号処理され、被写体画像がモニタ１１に表示されるようになっている。
　【００１０】
　次に、前記内視鏡１における挿入部２の先端部３の構成、及び組立工程について説明する。
　【００１１】
　まず、図１に示すように、映像ユニット１２の主要部を組立てる。映像ユニット１２は、対物レンズ１３，固体撮像装置１４，回路基板１５及び１６，信号ケーブル１７及び１８を備えて構成されている。最初にＣＣＤ等の固体撮像素子チップ１９を含む固体撮像装置１４を組立てる。固体撮像素子チップ１９は、光軸方向から見ると四角形の形状を有しており、基質２０の凹部２０ａに配設されてボンディングワイヤ２１で基質２０と接続されている。基質２０の凹部２０ａと反対側の面には端子２２が延出し、基質２０内でボンディングワイヤ２１との接続部と導通しており、固体撮像素子チップ１９と端子２２とが電気的に接続されている。固体撮像素子チップ１９の前方には、カバーガラス２３が設けられ、固体撮像素子チップ１９とカバーガラス２３との間は透明の封止樹脂２４で封止されている。
　【００１２】
　固体撮像装置１４を組立てた後、対物レンズ枠２５の先端側に対物レンズ１３を、後端側に固体撮像装置１４を接着剤で気密状態になるように接着固定し、固体撮像装置１４の端子２２に回路基板１５，１６を対向して半田付け等で接続する。回路基板１５は基板本体１５ａの両面にＩＣチップ２６と電子部品２７とを配置、接続した両面回路基板であり、いわゆるチップオンボード方式のハイブリッド基板である。また、回路基板１６は固体撮像装置１４の端子２２と信号ケーブル１８とを接続するジャンパー基板として用いられている。なお、ＩＣチップ２６は、封止樹脂２８によって封止されている。また、回路基板１５と１６との間にスペーサ２９をはさんで固定し、回路基板１５上の封止樹脂２８と回路基板１６との間に放熱性樹脂３０を充填して回路基板１５，１６が固体撮像装置１４に対して動かないように固定する。そして、回路基板１５に信号ケーブル１７を、回路基板１６に信号ケーブル１８を半田付け等で接続する。
　【００１３】
　次に、図２に示すように、挿入部２の先端部３に設けられるステンレス等からなる先端部本体３１の接続パイプ取付け部３１ａに先端部構成部材としての接続パイプ３２，鉗子チャンネルチューブ３３を接着固定した組立体を形成し、映像ユニット１２の対物レンズ枠２５を映像ユニット取付け部３１ｂに挿入する。そして、先端部本体３１にビス３５を螺合して映像ユニット１２を位置決めし、接着剤を流し込んで先端部本体３１に気密に固定し、先端に先端カバー３４を接着固定する。
　【００１４】
　そして、図３に示すように、映像ユニット１２の対物レンズ枠２５の外側と先端部本体３１の映像ユニット取付け部３１ｂとの間に映像ユニット１２を保護する映像ユニット保護部材としての枠体３６を嵌入し、枠体３６の内部、枠体３６と映像ユニット１２との間、及び枠体３６と先端部本体３１との間を樹脂等からなるシール手段としての接着剤３７で充填して気密に密封する。なお、枠体３６は映像ユニット１２のシールド部材としての機能を有しており、絶縁が必要な場合には熱収縮チューブ等で被覆して絶縁する。これにより、映像ユニット１２及び枠体３６は先端部本体３１と一体的に構成され、脱不能となる。すなわち、先端部本体付きの密封された撮像ユニットの状態となる。ここで、このユニットは、鉗子チャンネルチューブ３３等の映像機能とは関連のない別機能の構成要素を含んでおり、先端カバー３４の部分は内視鏡１全体の組立てが完了した状態では内視鏡１の外表面の一部を形成している。
　【００１５】
　最後に、図４に示すように、湾曲管３８を接着もしくは溶接によって先端部本体３１の後端側に固着した後、湾曲管３８を覆うように被覆ゴム３９を先端部本体３１に接着剤等で固定する。
　【００１６】
　以上により、挿入部２の先端部３の組立てが完了する。
　【００１７】
　このように、本実施例では、まず完全に密封されていない映像ユニット１２を組立て、その後この映像ユニット１２を先端部本体３１に組付けて先端部本体３１と一体化された状態で密封しているので、先端部本体３１及び枠体３６付きの密封された撮像ユニットとなり、機械的強度は著しく向上し、修理用部組としての信頼性が向上する。また、組立ての際にこの一体化された撮像ユニットを何かにぶつけても破損することはない。
　【００１８】
　従って、映像ユニット部を小型化して挿入部先端部の細径化が可能であると共に、機械的強度を向上させることが可能となる。
　【００１９】
　図６及び図７は本発明の第２実施例に係り、図６は内視鏡の挿入部先端部の組立てにおける第２の工程終了後の状態を示す断面説明図、図７は挿入部先端部の組立てにおける第３の工程終了後の状態を示す断面説明図である。
　【００２０】
　第２実施例は、第１実施例の変形例であり、組立工程の手順を異ならせたものである。挿入部先端部の組立て完了後の構成は第１実施例と同様であり、図６及び図７において第１実施例と同一の構成要素には同一符号を付している。
　【００２１】
　まず、図１に示した第１実施例と同様に、映像ユニット１２の主要部を組立てる。次に、図６に示すように、映像ユニット１２の対物レンズ枠２５を映像ユニット取付け部３１ｂに挿入する。そして、先端部本体３１にビス３５を螺合して映像ユニット１２を位置決めし、接着剤を流し込んで先端部本体３１に気密に固定する。
　【００２２】
　先端部本体３１に映像ユニット１２を固定した後、図７に示すように、映像ユニット１２の対物レンズ枠２５の外側と先端部本体３１の映像ユニット取付け部３１ｂとの間に枠体３６を嵌入し、枠体３６の内部、枠体３６と映像ユニット１２との間、及び枠体３６と先端部本体３１との間を樹脂等からなる接着剤３７で充填して気密に密封する。これにより、映像ユニット１２及び枠体３６は先端部本体３１と一体的に構成され、脱不能となる。すなわち、先端部本体付きの密封された撮像ユニットの状態となる。ここで、このユニットは、挿入部先端部３の主要構成部材である先端部本体３１を含んでおり、先端部本体３１は映像機能とは関連のない構成要素である。また、このユニットは、接続パイプ取付け部３１ａの開口部が内視鏡１の外表面の一部を形成している。
　【００２３】
　次に、第１実施例と同様に、先端部本体３１の接続パイプ取付け部３１ａに接続パイプ３２，鉗子チャンネルチューブ３３を、先端部本体３１の先端に先端カバー３４を取り付け、接着固定して、図３に示す状態にする。
　【００２４】
　最後に、図４に示すように、湾曲管３８を接着もしくは溶接によって先端部本体３１の後端側に固着した後、湾曲管３８を覆うように被覆ゴム３９を先端部本体３１に接着剤等で固定し、挿入部２の先端部３の組立てが完了する。
　【００２５】
　このように、本実施例においても第１実施例と同様に、映像ユニット部を小型化して挿入部先端部の細径化が可能であると共に、機械的強度を向上させることができる。また、第２実施例では、映像ユニット１２を先端部本体３１に組付けて密封した後に、他の先端部構成部材を組付けるようにしているため、組立時における映像ユニットの破損を極力防止することができる。
　【００２６】
　ところで、映像ユニット１２において、固体撮像装置１４の端子２２と回路基板１５との接続部は、図８に示すように構成することもできる。
　【００２７】
　図８（ａ）は、端子２２と基板本体１５ａとの間に電子部品２７をはさんで端子２２，電子部品２７，基板本体１５ａの回路パターンを電気的に接続した例を示している。また、図８（ｂ）は、基板本体１５ａと電子部品２７との間に端子２２をはさんで端子２２，電子部品２７，基板本体１５ａの回路パターンを電気的に接続した例である。
　【００２８】
　このように、回路基板の同一部位において、固体撮像装置の端子、電子部品、信号ケーブルなどの電気回路要素のうち複数個のものを重ねて電気的に結合することにより、実装密度が上がり、回路基板を小さくできるため、挿入部先端部の硬性部の長さを短くできると共に、内視鏡挿入部を小型化できる。
　【００２９】
　また、映像ユニット１２において、固体撮像装置１４の端子２２、回路基板１５Ａの基板本体１５ａ´、及び同軸ケーブルとの接続部は、図９及び図１０に示すように構成することもできる。図１２には、固体撮像装置１４、基板本体１５ａ´、及び複数の同軸ケーブルとの電気的接続に関する回路の一例を示している。この固体撮像装置１４は、端子２２の一例として、図１２に示すように、φＳ（シリアル転送）端子、φＡＢ（アンチブルーミング）端子、φＰ（垂直転送）端子、ＶＤＤ（電源）端子、ＳＵＢ（アース）端子、及びＶｏｕｔ（出力）端子を有している。また、前記回路基板１５Ａは、基板本体１５ａ´上に、後述する電子部品とＩＣチップを配置、接続した回路基板である。
　【００３０】
　図９及び図１０に示すものは、端子２２と基板本体１５ａ´との間に、電子部品、例えばコンデンサ４１が介装され、このコンデンサ４１を介して、端子２２と基板本体１５ａ´が電気的に接続されている。また、基板本体１５ａ´には、コンデンサ４１が接続された面に、図１２に示すＩＣチップ４２及び同軸ケーブル等が接続されている。前記コンデンサ４１は、両端に、図１１で斜線で示す電極を有している。
　【００３１】
　図１２に示すように、固体撮像装置１４のφＳ，φＡＢ，φＰの各端子には、同軸ケーブル４３ａ，４３ｂ，４３ｃがそれぞれ電気的に接続されている。
　【００３２】
　図１２に示すように、固体撮像装置１４のＶＤＤ端子，ＳＵＢ端子の各端子には、並列に前記コンデンサ４１が接続されていると共に、ＶＤＤ端子には同軸ケーブル４３ｄが、そしてＳＵＢ端子には同軸ケーブルの端部に形成された図１０に示すシールド部４６が、それぞれ電気的に接続されている。さらに、固体撮像装置１４のＶＤＤ端子，ＳＵＢ端子は、前記ＩＣチップ４２の電源入力端子と、アース端子とにそれぞれ接続されている。具体的な配線回りは、以下のようになっている。
　【００３３】
　前記コンデンサ４１の各電極は、基板本体１５ａ´の２つのパターン４４ａ，４４ｂにそれぞれ半田付けで接続され固定されている。また、前記コンデンサ４１の各電極は、前述したように、固体撮像装置１４のＶＤＤ端子，ＳＵＢ端子の各端子にそれぞれ半田付けで接続され固定されている。そして、固体撮像装置１４のＶＤＤ端子には、同軸ケーブル４３ｄが半田付けで接続され固定されている。また、固体撮像装置１４のＳＵＢ端子は、ジャンパー線４６を介して、前記シールド部４６に接続されている。
　【００３４】
　また、固体撮像装置１４のＶｏｕｔ端子は、図１２に示すように、ＩＣチッ４２の入力端子に接続されている。具体的な配線回りは、固体撮像装置１４のＶｏｕｔ端子に一端が半田付けされたジャンパー線４５、及び基板本体１５ａ´上に形成されたパターン４４ｃを介して、接続されている。ジャンパー線４５は、基板本体１５ａ´のコンデンサ４１が配置されていない面に沿って、さらに基板本体１５ａ´の切り欠き部を通り、その他端が、前記パターン４４ｃに半田付けされている。
　【００３５】
　前記ＩＣチップ４２は、増幅回路及び保護回路が形成されており、ダイオードＤ１ないしＤ４、トランジスタＱ１，Ｑ２、及び抵抗器Ｒ１ないしＲ３等から構成されている。尚、保護回路としてのダイオードＤ３及びＤ４は、図１２中のａ点にもうけても良い。前記ＩＣチップ４２の出力端子は、パターン４４ｄを介して、及び同軸ケーブル４３ｆに接続されている。この同軸ケーブル４３ｆが、増幅された固体撮像装置１４の映像信号を電送するようになっている。
　【００３６】
　図９及び図１０に示す構成のものでは、電子部品の電極例えばコンデンサ４１の電極を介して、端子２２（ＳＵＢ，Ｖｏｕｔ）、及び信号線が、基板本体１５ａ´の同一の部位、つまり同一パターン上において共通に電気的に結合できる。このような構成をとらないものの場合には、基板本体１５ａ´上に、端子２２用の接続端子のランド、信号線のランド、コンデンサのランドのそれぞれを設けなければならず、回路基板はその分大きくなる。これに対して、図９及び図１０に示す構成のものでは、ランドは一つで済むので、実装密度が上がり、回路基板を短くできるため、挿入部先端部の硬性部の長さを短くできると共に、内視鏡挿入部を小型化できる。
　【００３７】
　【発明の効果】
　以上説明したように本発明によれば、少なくとも固体撮像装置の端子、電子部品の電極、信号ケーブルのうちの複数個を前記基板の導電パターンの同一部位上に積み重ねて電気的に接続して映像ユニット部を小型にして挿入部先端の硬質部を細径化するとともにその長さも短くすることが可能となる効果がある。
【図面の簡単な説明】
　【図１】
　図１ないし図５は本発明の第１実施例に係り、図１は内視鏡の挿入部先端部の組立てにおける第１の工程終了後の状態を示す断面説明図
　【図２】
　挿入部先端部の組立てにおける第２の工程終了後の状態を示す断面説明図
　【図３】
　挿入部先端部の組立てにおける第３の工程終了後の状態を示す断面説明図
　【図４】
　挿入部先端部の組立終了時の構成を示す断面説明図
　【図５】
　内視鏡の全体の構成を示す説明図
　【図６】
　図６及び図７は本発明の第２実施例に係り、図６は内視鏡の挿入部先端部の組立てにおける第２の工程終了後の状態を示す断面説明図
　【図７】
　挿入部先端部の組立てにおける第３の工程終了後の状態を示す断面説明図
　【図８】
　固体撮像装置の端子と回路基板との接続部の構成の変形例を示す説明図
　【図９】
　固体撮像装置の端子と回路基板と信号線との接続部の構成の変形例を示す説明図
　【図１０】
　固体撮像装置の端子と回路基板と信号線との接続部の構成の変形例を示す斜視図
　【図１１】
　コンデンサの斜視図
　【図１２】
　撮像ユニットの回路図
　【符号の説明】
　１…内視鏡
　２…挿入部
　３…先端部
　１２…映像ユニット
　１３…対物レンズ
　１４…固体撮像装置
　１５，１６…回路基板
　１７，１８…信号ケーブル
　２５…対物レンズ枠
　３１…先端部本体
　３１ａ…接続パイプ取付け部
　３１ｂ…映像ユニット取付け部
　３２…接続パイプ
　３３…鉗子チャンネルチューブ
　３６…枠体
　３７…接着剤